(57)【要約】【課題】  歯科治療などを含む口腔治療に用いられる補助装置およびこれを有するユニットチェアーを提供すること。【解決手段】  前記口腔挿入部材を患者の口蓋垂の前方の口腔、望ましくは、軟口蓋に位置させて口腔治療の時に洗浄液や患者の唾液が患者の喉を通ることを防止し、患者の不便さを解決し、治療が中断されることを防止して、医療道具および医療部品が患者の喉を通って患者の咽頭に損傷を与えることを防止しうる口腔治療用補助装置およびこれを有するユニットチェアーを提供することができる。
2010537706.tif 000002
【特許請求の範囲】
【請求項１】
流体によって膨張する体積調節部を含む口腔挿入部材と、
前記体積調節部に前記流体を供給する流体供給装置と、を含むことを特徴とする口腔治療用補助装置。
【請求項２】
前記口腔挿入部材は、前記体積調節部の所定部分に固定され、前記流体供給装置によって体積が膨張しない体積固定部を更に含むことを特徴とする請求項１に記載の口腔治療用補助装置。
【請求項３】
前記口腔挿入部材の所定部分に固定され、患者の口腔に溜まった洗浄液または前記患者の唾液を吸入するための流体吸入装置を更に含むことを特徴とする請求項１に記載の口腔治療用補助装置。
【請求項４】
前記口腔挿入部材は、流体吸入装置の圧力が伝達される少なくとも一つ以上の流体吸入ホールが形成され、患者の口腔内の皮膚に吸着するための口腔吸着部を更に含むことを特徴とする請求項１に記載の口腔治療用補助装置。
【請求項５】
患者の口蓋垂の前方の口腔内に挿入されて口腔治療のときに用いられる洗浄液、または前記患者の唾液が前記患者の食道または気道を通ることを防止する口腔挿入部材を含むことを特徴とする口腔治療用補助装置。
【請求項６】
前記口腔挿入部材は、外部の圧力によって形状が可変する弾性材料で形成されたことを特徴とする請求項５に記載の口腔治療用補助装置。
【請求項７】
前記口腔挿入部材は、前記患者の口腔内の皮膚に吸着される口腔吸着部を含むことを特徴とする請求項５に記載の口腔治療用補助装置。
【請求項８】
前記口腔吸着部は、前記患者の口腔内の皮膚に吸着する時、負圧(ｎｅｇａｔｉｖｅ  ｐｒｅｓｓ)が形成される流体吸入ホールを含むことを特徴とする請求項７に記載の口腔治療用補助装置。
【請求項９】
内部に流体が流動可能な連結通路を含むボディー部と、
前記ボディー部の外周縁に具備され、患者の口腔内の皮膚に吸着される口腔吸着部と、
前記口腔吸着部の一面に前記連結通路と連結されるように形成される少なくとも一つ以上の流体吸入ホールと、を含む口腔挿入部材を含む口腔治療用補助装置。
【請求項１０】
前記口腔吸着部は、前記ボディー部より厚さが薄いことを特徴とする請求項９に記載の口腔治療用補助装置。
【請求項１１】
前記ボディー部と前記口腔吸着部とは同じ材質で構成され、一体型からなることを特徴とする請求項１０に記載の口腔治療用補助装置。
【請求項１２】
前記患者の口腔に溜まった洗浄液または前記患者の唾液を吸入するために流体吸入装置に連結され、前記口腔挿入部材の所定領域に締結される流体移送管を更に含むことを特徴とする請求項９に記載の口腔治療用補助装置。
【請求項１３】
流体吸入装置と連結される流体移送管を前記ボディー部に含まれた前記連結通路に連結されるように締結するための締結端子を更に含むことを特徴とする請求項９に記載の口腔治療用補助装置。
【請求項１４】
前記締結端子は、前記流体吸入ホールが形成された反対側の前記ボディー部の一面に形成されることを特徴とする請求項１３に記載の口腔治療用補助装置。
【請求項１５】
前記締結端子は、前記連結通路と連結されることを特徴とする請求項１３に記載の口腔治療用補助装置。
【請求項１６】
前記流体吸入装置は、口腔治療用ユニットチェアーに含まれることを特徴とする請求項１３に記載の口腔治療用補助装置。
【請求項１７】
前記流体移送管は、前記締結端子と連結される第１流体移送管と、前記流体吸入装置と連結される第２流体移送管とを含み、前記第１流体移送管と前記第２流体移送管とを連結するコネクターを更に含むことを特徴とする請求項１３に記載の口腔治療用補助装置。
【請求項１８】
前記コネクターは、前記流体吸入装置から前記口腔挿入部材に提供される圧力を調節するための圧力制御バルブを含むことを特徴とする請求項１７に記載の口腔治療用補助装置。
【請求項１９】
前記口腔挿入部材は、前記ボディー部を貫通するように形成される呼吸穴を更に含むことを特徴とする請求項９に記載の口腔治療用補助装置。
【請求項２０】
前記呼吸穴は、前記流体吸入ホールが形成された反対側の前記ボディー部の一面に対して突出したことを特徴とする請求項１９に記載の口腔治療用補助装置。
【請求項２１】
前記呼吸穴の前記流体吸入ホールが形成された反対側の入口は、液体の流入を遮断するための薄い膜を含むことを特徴とする請求項１９に記載の口腔治療用補助装置。
【請求項２２】
前記呼吸穴は、前記ボディー部に含まれた前記連結通路と物理的に遮断されていることを特徴とする請求項１９に記載の口腔治療用補助装置。
【請求項２３】
前記ボディー部は、前記流体吸入ホールが形成された方向の面が凹むか或いは扁平であることを特徴とする請求項９に記載の口腔治療用補助装置。
【請求項２４】
所定の厚さを有するボディー部と、
前記ボディー部の外周縁に具備され、前記ボディー部の厚さより薄い厚さを有する口腔吸着部と、を含む口腔挿入部材を含むことを特徴とする口腔治療用補助装置。
【請求項２５】
前記口腔吸着部の一面の少なくとも一部分に接着性物質が塗布されたことを特徴とする請求項２４に記載の口腔治療用補助装置。
【請求項２６】
内部に流体が流動可能な連結通路を含むボディー部、前記ボディー部の外周縁に具備されて患者の口腔内の皮膚に吸着される口腔吸着部と、前記口腔吸着部の一面に前記連結通路と連結されるように形成される少なくとも一つ以上の流体吸入ホールを含む口腔挿入部材と、
前記連結通路に連結され、前記流体吸入ホールに負圧を提供するための流体吸入装置を含むことを特徴とする口腔治療用ユニットチェアー。
【請求項２７】
前記連結通路と連結される第１流体移送管と前記流体吸入装置と連結される第２流体移送管を連結するコネクターを更に含むことを特徴とする請求項２６に記載の口腔治療用ユニットチェアー。
【請求項２８】
前記コネクターは、前記流体吸入装置から前記流体吸入ホールに提供される圧力を調節するための圧力制御バルブを含むことを特徴とする請求項２７に記載の口腔治療用ユニットチェアー。
【発明の詳細な説明】
【技術分野】
【０００１】
本発明は、歯科治療などを含む口腔治療に用いられる補助装置およびこれを有するユニットチェアーに関し、より詳細には、口腔治療の時、患者の血または洗浄液が患者の喉を通る不便さを防止し、医療道具および医療部品が患者の喉を通ってしまうことによって患者の咽頭に損傷を与えることを防止するための補助装置に関する。
【背景技術】
【０００２】
一般的に歯科治療を含む口腔治療の時、患者は、上体が後ろに倒れるようにユニットチェアー(Ｕｎｉｔ  Ｃｈａｉｒ)に座った後、ユニットチェアーに具備された各種治療用装備を通じて治療を受けるようになる。
【０００３】
この時、患者の体がほぼ寝ている状態であるため、口腔治療の時、洗浄液や患者の血などが患者の口腔に溜まるようになり、ユニットチェアーに具備された流体吸入装置(ｓｕｃｔｉｏｎ  ｕｎｉｔ)を通じて患者の口腔に溜まっている洗浄液や患者の唾液などを外部に排出するようになる。
【０００４】
たとえ流体吸入装置を通じて洗浄液や患者の唾液などを外部に排出するが、発生するや否や排出されないため、患者は洗浄液や患者の唾液などが喉を通じて気道や食道を通らないように、舌を後に巻いて喉を遮らなければならないという不便さがあった。
【０００５】
また、患者が舌で喉を遮っていても、一部の洗浄液や患者の唾液などが喉を通るようになって、この時、患者は喉を通ってくる洗浄液や血を飲み込むようになるという不快さとともに飲み込む時の口腔の動きによって治療をしばらく止まらなければならないという不便さがあった。
【０００６】
また、口腔治療の時、医師および看護師などの治療を直接に行う医療関係者の他に別途の補助者が流体吸入装置の吸入管を患者の口腔に溜まっている流体に位置させて流体を患者の口腔から排出しなければならないため、別途の補助者が必要な問題点があり、このような補助者を排除して、医療関係者が直接に行う場合は、流体排出の時、治療をしばらく中断するか、あるいは治療用器具および吸入管を同時に操作しなければならないという不便さがあった。
【０００７】
また、口腔治療の時、治療に用いられる各種医療道具および医療部品を医療関係者がミスで落とした時、患者の口腔内の皮膚または喉を通して咽部に傷害を発生させるおそれがある問題点があった。
【０００８】
また、歯科治療の時、患部の汚染を防止するための目的から現在、歯科用ラバーダム(Ｒｕｂｂｅｒ  Ｄａｍ)を用いる施術方法が用いられている。
ラバーダムは、薄いラテックス膜であって、クランプ(ｃｌａｍｐ)を用いて治療をしようとする患者の歯に挟んで用いる。
【０００９】
しかし、ラバーダムによる施術は、患者の口腔構造に合うようにクランプを確認および固定しなければならないという不便さがあり、また、ラバーダムによって遮断された領域によって外部の物質(洗浄液など)が喉を通ることを防止することはできても、治療を受ける期間、患者の口腔に溜まる患者の唾のような唾液が喉を通ることを防止することはできない。
【００１０】
よって、ラバーダムによる施術は、患者が唾液が喉を通らないように舌で喉を遮らなければならないという不便さを解決することができなくて、また、ラバーダムを患者に固定する過程が複雑かつ不便な問題点があった。
【発明の概要】
【発明が解決しようとする課題】
【００１１】
そこで、本発明は、前記問題に鑑みてなされたものであり、本発明の目的とするところは、口腔治療の時、洗浄液や患者の唾液が患者の喉を通ることを防止し、患者の不便さを解決して、治療が中断されることを防止することにある。
【００１２】
本発明の他の目的は、口腔治療の時、治療に用いられる各種医療道具および医療部品を医療関係者がミスで落とした時、患者の口腔内皮膚または咽部に到達されないようにして患者に傷害が発生することを防止することにある。
【００１３】
本発明の他の目的は、口腔治療の時、流体吸入装置を操作する別途の補助者が必要としないようにすることにある。
【課題を解決するための手段】
【００１４】
前記目的を達成するための本発明の一実施例による口腔治療用補助装置は、流体によって膨張する体積調節部を含む口腔挿入部材と、前記体積調節部に前記流体を供給する流体供給装置を含む。
【００１５】
前記目的を達成するための本発明の他の実施例による口腔治療用補助装置は、患者の口蓋垂の前方の口腔内に挿入されて口腔治療の時に用いられる洗浄液、または前記患者の唾液が前記患者の食道または気道を通ることを防止する口腔挿入部材を含む。
【００１６】
前記目的を達成するための本発明のまた他の実施例による口腔治療用補助装置は、内部に流体が流動可能な連結通路を含むボディー部と、前記ボディー部の外周縁に具備され、患者の口腔内の皮膚に吸着される口腔吸着部と、前記口腔吸着部の一面に前記連結通路と連結されるように形成される少なくとも一つ以上の流体吸入ホールと、を含む口腔挿入部材を含む。
【００１７】
前記目的を達成するための本発明のまた他の実施例による口腔治療用補助装置は、所定の厚さを有するボディー部と、前記ボディー部の外周縁に具備され、前記ボディー部の厚さより薄い厚さを有する口腔吸着部と、を含む口腔挿入部材を含む。
【００１８】
前記目的を達成するための本発明の一実施例による口腔治療用ユニットチェアーは、内部に流体が流動可能な連結通路を含むボディー部、前記ボディー部の外周縁に具備され、患者の口腔内の皮膚に吸着される口腔吸着部、および前記口腔吸着部の一面に前記連結通路と連結されるように形成される少なくとも一つ以上の流体吸入ホールを含む口腔挿入部材と、前記連結通路に連結され、前記流体吸入ホールに負圧(ｎｅｇａｔｉｖｅ  ｐｒｅｓｓ)を提供するための流体吸入装置を含む。
【発明の効果】
【００１９】
本発明によると、口腔治療の時、洗浄液や患者の唾液が患者の喉を通ることを防止して患者の不便さを解決し、治療が中断されることを防止しうる効果がある。
また、本発明によると、口腔治療の時、治療に用いられる各種執刀道具を医療関係者がミスで落とした時、患者の口腔内皮膚または咽部に傷害を発生することを防止しうる効果がある。
【００２０】
また、本発明によると、口腔治療の時、流体吸入装置を操作する別途の補助者なしにも治療を遂行する医師または看護師などの医療関係者が口腔治療をしながらも別途の追加操作をすることなく患者の口腔に溜まった洗浄液や患者の唾液を口腔外部に排出できるとの効果がある。
【図面の簡単な説明】
【００２１】
【図１】本発明の一実施例による口腔治療用補助装置を患者の口腔に締結した側面図である。
【図２】本発明の一実施例による口腔治療用補助装置を患者の口腔に締結した正面図である。
【図３】本発明の一実施例による口腔治療用補助装置の斜視図である。
【図４】図３のＩ−Ｉ’に沿って見た本発明の一実施例による口腔挿入部材の断面図である。
【図５】図３のＩ−Ｉ’に沿って見た本発明の他の実施例による口腔挿入部材の断面図である。
【図６】本発明の他の実施例による口腔治療用補助装置の斜視図である。
【図７】図６のＩＩ−ＩＩ’に沿って見た本発明のまた他の実施例による口腔挿入部材の断面図である。
【図８】本発明のまた他の実施例による口腔治療用補助装置の斜視図である。
【図９】図８のＩＩＩ−ＩＩＩ’に沿って見た本発明のまた他の実施例による口腔挿入部材の断面図である。
【図１０】本発明のまた他の実施例による口腔治療用補助装置の斜視図である。
【図１１】図１０のＩＶ−ＩＶ’に沿って見た本発明のまた他の実施例による口腔挿入部材の断面図である。
【図１２】本発明の一実施例による流体供給装置に対する構成図である。
【図１３】本発明のまた他の実施例による口腔治療用補助装置の前方の側面から見た斜視図である。
【図１４】図１３の口腔治療用補助装置の後方の側面から見た斜視図である。
【図１５】図１３の口腔挿入部材の分解断面図である。
【図１６】図１３の口腔挿入部材の背面図である。
【図１７】図１３の口腔挿入部材の正面図である。
【図１８】図１７のＶ−Ｖ’に沿って見た本発明のまた他の実施例による口腔挿入部材の断面図である。
【図１９】図１８のＶＩ−ＶＩ’に沿って見た本発明のまた他の実施例による口腔挿入部材の断面図である。
【図２０】口腔治療用補助装置を締結する前、人の口腔構造に対する斜視図である。
【図２１】図１３の口腔治療用補助装置を人の口腔に締結した斜視図である。
【図２２】ユニットチェアーに本発明の実施例による口腔治療用補助装置を結合する様態を示した図である。
【図２３】図２２のＶＩＩ領域を拡大した本発明の一実施例によるコネクターを示した図である。
【図２４】本発明のまた他の実施例による口腔治療用補助装置に対する斜視図である。
【発明を実施するための形態】
【００２２】
本発明は、口腔治療において患者の口蓋垂(ｕｖｕｌａ)の前、望ましくは軟口蓋(ｓｏｆｔ  ｐａｌａｔｅ)に本発明による口腔挿入部材を位置させ、患者の口腔(ｏｒａｌ  ｃａｖｉｔｙ)と咽喉(咽頭(ｐｈａｒｙｎｘ)と喉頭(ｌａｒｙｎｘ)を合わせて称する言葉であり、喉ともいう)を遮断することによって、患者が口腔治療を受けて発生する洗浄液または患者の唾、血などの唾液または治療用執刀道具が咽喉を通ることを防止することができる。
【００２３】
よって、以下図２〜図１２を参照して本発明の多様な実施例による口腔挿入部材で正圧(ｐｏｓｉｔｉｖｅ  ｐｒｅｓｓ)によって体積が変わる例を説明し、また以下図１３〜図２３を参照して本発明の他の実施例による口腔挿入部材で負圧(ｎｅｇａｔｉｖｅ  ｐｒｅｓｓ)によって患者の口腔に吸着される例を説明する。
【００２４】
また、図１１及び図１２でのように正圧と負圧とを共に用いることもできる。
また、図２４のように正圧と負圧とを用いることなく、本発明の実施例による口腔挿入部材を用いることもできる。
【００２５】
以下、添付する図面を参照して本発明の実施例を具体的に説明する。
図１は、本発明の一実施例による口腔治療用補助装置の口腔挿入部材を患者の口腔に締結したことを示した側面構成図である。
【００２６】
口腔治療を受ける患者１０００は、口腔治療用椅子(ユニットチェアー)にねて、口を開いて口腔１１００を外部に露出させる。医師または看護師などの医療関係者は、患者１０００の口腔１１００に口腔挿入部材１００００を入れて患者の喉１１３０へ洗浄液、患者の唾液、または口腔治療の時に用いられる医療道具および医療部品が通ることを防ぐために、患者の口蓋垂１１２０の前方、特に軟口蓋(ｓｏｆｔ  ｐａｌａｔｅ)と舌の後部分に口腔挿入部材１００００を位置させ、口腔挿入部材１００００に流体供給装置または流体吸入装置などのポンプ２００００を通じて流体を供給または吸入することによって、正圧による口腔挿入部材１００００の体積を膨張または負圧による口腔挿入部材１００００に含まれた吸着ホールを通じて口腔挿入部材１００００を口腔に吸着させる。
【００２７】
患者１０００の口腔は、患者に応じてそれの構造と大きさが異なるため、口腔挿入部材１００００が膨張するか、口腔挿入部材１００００に含まれた吸着ホールによって患者の口腔に吸着して患者１０００の口腔１１００の前方で喉１１３０に連結される通路を遮断するようになる。
【００２８】
または、口腔挿入部材１００００にポンプ２００００を連結することなく、後の図２４で説明される方法で口腔挿入部材を患者の口蓋垂１１２０の前方、特に軟口蓋と舌の後部分に口腔挿入部材１００００を位置させて用いることもできる。
【００２９】
この際、口腔治療を受ける時、患者がねているため、口腔挿入部材１００００が安定した位置にあり、後の図２４の方法のように取っ手部材によって持続的な支持力を有するようにすることもでき、また、患者の口腔内皮膚に接触する口腔挿入部材の面に接着性物質を塗布して用いることもできる。
【００３０】
図２は、本発明の一実施例による口腔治療用補助装置の口腔挿入部材を患者の口腔内に締結した正面構成図を示したものであって、正圧による口腔挿入部材１１０００についての一実施例を説明するためものである。
【００３１】
患者１０００が口を開いた状態で口腔挿入部材１１０００を患者１０００の口蓋垂１１２０の前口腔１１００の深い位置、望ましくは軟口蓋に位置させることによって、医療関係者が患者１０００の口腔治療の時、口腔挿入部材１１０００によって治療用道具がかからないようにする。
【００３２】
また、口腔挿入部材１１０００は、患者１０００の舌１１１０の上に位置するため、半月形状や三日月形状に構成することが望ましい。
流体供給装置２１０００は、別途の圧縮機を用いることができ、ユニットチェアーに含まれたエアーポンプを用いることもできる。 この際、別途の圧縮機を用いる場合に、手動によるポンプまたは電気エネルギーを用いるポンプを使うこともできる。
【００３３】
流体は、空気、酸素、窒素などの気体または水などの液体を用いることもでき、本発明では一実施例として空気を用いて、圧縮機としては電気を用いるエアーポンプを使用した。
【００３４】
正圧による口腔挿入部材１１０００は、体積の変化が可能であるため、患者の多様な口腔構造に対して活用性が高いという長所がある。
図３は、本発明の一実施例による口腔治療用補助装置の斜視図を示したものであり、口腔に挿入される正圧型口腔挿入部材１１０００、正圧型口腔挿入部材１１０００に流体を供給する流体供給装置２１０００を含む。
【００３５】
口腔挿入部材１１０００は、流体供給装置２１０００から供給される流体を注入するための流体注入用締結端子１０１００と供給された流体によって体積が変わる体積調節部１１２００を更に含む。
【００３６】
流体供給装置２１０００は、流体移送管４１０００を口腔挿入部材１１０００の流体注入用締結端子１０１００に連結して口腔挿入部材１１０００に流体を供給することによって、口腔挿入部材１１０００の体積調節部１１２００の体積を膨張させることができる。
【００３７】
また、本発明の一実施例で口腔治療の時、患者１０００の口腔１１００に溜まる洗浄液または患者の唾液を外部へ排出するための流体吸入装置２２０００を更に含むこともできる。
【００３８】
流体吸入装置２２０００は、別途のポンプを用いることができ、ユニットチェアーに含まれたエアポンプを用いることもできる。 この際、別途のポンプを用いる場合には手動によってまたは電気エネルギーによって用いることもできる。
【００３９】
本発明では一実施例で流体吸入装置２２０００をユニットチェアーに含まれたエアポンプ、すなわち、歯科治療で一般的に使われる 吸引器具(ｓｕｃｔｉｏｎ  ｉｎｓｔｒｕｍｅｎｔ)を使用した。
【００４０】
流体吸入装置(２２０００)は、口腔挿入部材１１０００に含まれた締結端子１０２００と流体移送管４２１００を通じて連結される。
また、口腔挿入部材１１０００の締結端子１０２００は、患者の口腔１１００に溜まった洗浄液または患者の唾液に吸入口を位置させるための流体移送管４２２００を更に締結しうるように形成されることが望ましい。
【００４１】
前記のように流体吸入装置２２０００に連結された流体移送管(４２１００、４２２００)によって、歯科治療の時に別途の補助者がいなくても医療関係者が患者の口腔に溜まった洗浄液または患者の唾液を外部へ排出しうる効果がある。
【００４２】
これから図４〜図２４を参照して説明する本発明の他の実施例には、患者の口腔に溜まった洗浄液または患者の唾液を外部へ排出するために図３に示したような構成の流体吸入装置２２０００および流体移送管(４２１００、４２２００)を図示しなかったが、すべて適用が可能である。
【００４３】
図４および図５は、図３のＩ−Ｉ’に沿って見た本発明の実施例による口腔挿入部材の断面図を示したものである。
口腔挿入部材１１０００の体積調節部１１２００は、弾性のある物質で膨張膜１１１００に形成してそれの内部に流体が供給される。
【００４４】
膨張膜１１１００の材料としては高分子物質が望ましく、血管または尿道拡張施術で用いられるバルーンカテーテル(Ｂａｌｌｏｏｎ  Ｃａｔｈｅｔｅｒ)に用いられる風船の材料であるポリエステル(Ｐｏｌｙｅｓｔｅｒ)、ポリアミド(Ｐｏｌｙａｍｉｄｅ)、またはシリコーンなどの医療用に主に用いられる弾性材料を使うことが望ましい。
【００４５】
図５は、図４の断面図に対する変形例を示したものであって、図４による口腔挿入部材１１０００は患者１０００の喉１１３０の前に位置して流体が喉１１３０を通ることを防止し、図５による実施例は凸部１１１１０を更に含み、凸部１１１１０が患者１０００の喉１１３０に挿入されるように構成する。
【００４６】
凸部１１１１０は、図４による口腔挿入部材１１０００によって遮断されなかった口腔１１００内に溜まった洗浄液または患者の唾液が喉１１３０を通らないように再度遮断する役割を果たす。
【００４７】
よって、凸部１１１１０は、膨張の時、患者の喉１１３０より少し大きいことが望ましく、喉１１３０に挿入される時、風船のように形が変形されることが望ましい。
また、凸部１１１１０が喉１１３０に挿入される時、患者１０００に嘔吐を誘発させるおそれがあるため、凸部１１１１０の表面には内視鏡検査で内視鏡に一般的に塗る粘液性流体を塗って用いることが望ましい。
【００４８】
図６は、本発明のまた他の実施例による口腔治療用補助装置の斜視図を示したものであり、図７は、図６の口腔挿入部材においてＩＩ−ＩＩ'に沿って見た断面図を示したものである。
【００４９】
口腔挿入部材１１０００は、体積調節部１１２００と体積固定部１１３００とに区分される。
体積調節部１１２００は、体積固定部１１３００の外周縁(円弧)に対応する郊外に固定され、まるで自動車のホイールとタイヤとの構成に類似に構成される。
【００５０】
流体注入用締結端子１０１００は、体積調節部１１２００の所定領域に構成され、流体供給装置２１０００によって供給される流体(望ましくは空気)によって体積調節部１１２００が膨張され、膨張膜１１１００を患者の口腔内の皮膚に密着させる。
【００５１】
体積固定部１１３００の材料は、体積調節部１１２００より弾性力が小さい材料であり、人体に無害ないかなる材料であっても使用が可能であり、本発明では一実施例としてシリコーンを用いた。
【００５２】
図８は、本発明のまた他の実施例による口腔治療用補助装置の斜視図を示したものであり、図９は、図８の口腔挿入部材に示したＩＩＩ−ＩＩＩ'に沿って見た断面図を示したものである。
【００５３】
口腔挿入部材１１０００は、体積調節部１１２００と体積固定部１１３００とに大きく区分する。
体積調節部１１２００は、体積固定部１１３００の外周縁(円弧)に対応する郊外に固定され、まるで自動車のホイールとタイヤとの構成に類似に構成する。
【００５４】
流体注入用締結端子１０１００は、体積固定部１１３００の所定領域に構成され、流体供給装置２１０００によって注入された流体(望ましくは空気)によって体積固定部１１３００の内部の第１流体貫通部１１３１０および体積固定部１１３００と体積調節部１１２００とが締結された領域に少なくとも一つ以上に形成されている穴である流体注入ホール１１３２０を通じて体積調節部１１２００が膨張され、膨張膜１１１００を患者の口腔に密着させる。
【００５５】
体積固定部１１３００の材料は、体積調節部１１２００より弾性力の小さい材料であり、人体に無害ないかなる材料であっても使用が可能であり、本発明では一実施例としてシリコーンを用いた。
【００５６】
たとえ体積固定部１１３００の名称において体積が固定されたことに表現したが、体積調節部１１２００に比べて相対的に体積の変化の小さいことを意味することであって、第１流体貫通部１１３１０の内圧の増加によって体積の変化が発生することもある。
【００５７】
図１０は、本発明のまた他の実施例による口腔治療用補助装置の斜視図を示したものであり、図１１は、図１０の口腔挿入部材に示したＩＶ−ＩＶ'に沿って見た断面図を示したものである。
【００５８】
図１０および図１１による実施例は、図３〜図１２を参照して説明した口腔挿入部材１１０００と患者１０００の口腔１１００内の表面との接着力を向上させるための追加構成として図３〜図１２の構成との組合せが可能である。
【００５９】
口腔吸着部１１４００は、体積調節部１１１００の外周縁(円弧)に対応する郊外に固定され、まるで車のおもちゃのプラスチック輪に輪と紙面との摩擦力を高めるためにゴムリングを形成する構成と類似である。
【００６０】
口腔吸着部１１４００には、空気を吸入してこの吸入力によって患者１０００の口腔１１００内の皮膚、望ましくは軟口蓋に吸着させるための流体吸入ホール１１４２０を含み、流体吸入装置２２０００を流体移送管４２０００と流体吸入用締結端子１０２００を通じて口腔吸着部１１４００に締結する。
【００６１】
口腔吸着部１１４００は、内部が空いていて、流体吸入用締結端子１０２００と連結された第２流体貫通部１１４１０と第２流体貫通部１１４１０に連結されて外部に露出されて患者１０００の口腔１１００内の表面と吸着するための少なくとも一つ以上の穴を含む流体吸入ホール１１４２０を含む。
【００６２】
また、口腔吸着部１１４００の形状は、リング形状に構成することができ、このような場合には、口腔吸着部１１４００は、体積調節部１１２００の膨張する体積に対応してリング形状の全体長さが増加しなければならないため、口腔吸着部１１４００は弾性力のある高分子材料またはシリコーンが望ましく、体積調節部１１２００の膨張膜１１１００の材料に比べて弾性力が同一であるか或いは小さい材料がより望ましい。
【００６３】
また、口腔吸着部１１４００の形状が連結されてなくて開口部を含む帯の形状(すなわち、馬蹄磁石に類似の形状)に構成することもできる。
また、口腔吸着部１１４００の形状は、図１３〜図２４を参照して後述する本発明の他の実施例による口腔挿入部材のように体積調節部１１２００の外周縁(円弧)に対応して薄く突出して形成される翼型に構成されることも可能である。
【００６４】
流体吸入装置(２２０００)は、別途のポンプを用いることができ、ユニットチェアーに含まれたエアポンプを用いることもできる。この際、別途のポンプを使う場合に、手動によってまたは電気エネルギーによって用いることもできる。
【００６５】
本発明では一実施例として流体吸入装置２２０００をユニットチェアーに含まれたエアポンプ、すなわち、歯科治療で一般的に使われる吸引器具を用いた。
図１２は、本発明の一実施例による流体供給装置に対する構成図である。
【００６６】
図１〜図１１を参照して説明した本発明の実施例による口腔治療用補助装置の流体供給装置２１０００は、流体圧縮機２１１００によって発生する正圧を有する流体が流体移送管４１０００を通じて口腔挿入部材１１０００に供給される。
【００６７】
この際、口腔挿入部材１１０００の内圧を一定に維持して口腔挿入部材１１０００の膨張された体積を維持するために圧力調節部２１２００を含み、治療が終わった後、口腔挿入部材１１０００を患者１０００の口腔１１００から簡単に除去するために口腔挿入部材１１０００に供給された流体を外部に排出するための圧力排出ピン２１３１０を含む強制排出部２１３００を含む。
【００６８】
また、強制排出部２１３００は、治療中、応急状況に対応して医療関係者が圧力排出ピン２１３１０を除去して口腔挿入部材１１０００に供給された流体を外部に強制排出して口腔挿入部材１１０００の体積を減少させた後、患者１０００の口腔１１００から除去する時にも用いられる。
【００６９】
圧力調節部２１２００は、一般的に用いられる機械式リリーフ バルブ(Ｍｅｃｈａｎｉｃａｌ  Ｒｅｌｅｉｆ  Ｖａｌｖｅ)を用いて一定の圧力を設定して用いることが望ましい。
【００７０】
図１３〜図２１は、本発明のまた他の実施例による口腔挿入部材を説明するための図面である。
上述した図２〜図１２を参照して説明した本発明の実施例による口腔挿入部材１１０００は、正圧の提供を受けて体積が膨張することによって患者ごとの多様な口腔構造に対応することが容易な長所があるが、口腔治療の時、ドリル、メスなどの鋭い道具によって割れる恐れがあるとの短所がある。
【００７１】
よって、図１３〜図２１を参照して後述する口腔挿入部材１２０００は、負圧を用いて患者１０００の口腔１１００、望ましくは 軟口蓋に吸着することによって、洗浄液または患者の唾液が喉を通ることを遮断するように構成される。
【００７２】
口腔挿入部材１２０００は、ボディー部１２１００と口腔吸着部１２２００とで大きく構成される。
ボディー部１２１００は、負圧を提供するための流体移送管４２０００との締結のための流体吸入用締結端子１０２００を含み、口腔吸着部１２２００に負圧を伝達するために口腔吸着部１２２００と締結端子１０２００とを連結する連結通路１２５００を含む。
【００７３】
ボディー部１２１００は、外部の荷重に対して一定位の形状を維持し、堅すぎないものが望ましく、本発明では一実施例としてシリコーンを用いた。
また、口腔挿入部材１２０００を患者１０００の口蓋垂１１２０の前方の口腔１１００、望ましくは、軟口蓋に吸着することによって、口腔挿入部材１２０００の裏面１２１２０、すなわち、ボディー部１２１００は、締結端子１０２００の反対側面が患者の口蓋垂１１２０に接触して患者１０００に嘔吐を誘発するなどの拒否感を解決するために、ボディー部１２１００は、締結端子１０２００の反対側面１２１２０が凹んでいるか、少なくとも扁平であることが望ましい。
【００７４】
また、たとえ口腔吸着部１２２００によって口腔挿入部材１２０００が患者１０００の口蓋垂１１２０の前方の口腔１１００、望ましくは軟口蓋に吸着していても、口腔挿入部材１２０００が患者の喉を通らないようにするために、ボディー部１２１００は患者の喉１１３０より面積または幅を大きくすることが望ましい。
【００７５】
口腔吸着部１２２００は、ボディー部１２１００の連結通路１２５００と連結された流体吸入ホール１２２２０をボディー部１２１００が締結端子１０２００を含む面１２２１１の反対の面１２２１２に含む。
【００７６】
口腔吸着部１２２００は、患者の口腔表面に吸着することが容易でなければならなく、患者の多様な口腔構造に対応して曲げられることが望ましいため、ボディー部１２１００より厚さが薄いことが望ましく、弾性力を有していることが望ましい。ここで、本発明の一実施例として口腔吸着部１２２００は、ボディー部１２１００と同一のシリコーンで形成した。
【００７７】
また、口腔挿入部材１２０００は、患者の口腔に挿入および吸着されることによって、患者が鼻を通じてのみ息をしなければならないという不便さを解消して、また、応急時に患者に口で息をすることができるようにするために、ボディー部１２１００を貫通し、ボディー部１２１００内部の連結通路１２５００とは遮断されている呼吸穴１２３００を含むことが望ましい。
【００７８】
この際、治療の時に患者１０００は、ユニットチェアーにねて治療を受けるため、患者１０００の口腔１１００に溜まった洗浄液または患者の唾液がボディー部１２１００に含まれた呼吸穴１２３００を通じて喉を通ることを防止するために呼吸穴１２３００はボディー部１２１００の前方、すなわち、流体吸入用締結端子１０２００を含む面１２１１０から突出していることが望ましい。
【００７９】
また、呼吸穴１２３００は、治療時に患者の歯に憤出される洗浄液が撥ねかかって呼吸穴１２３００を通じて喉を通ることを防止するために十字(＋)形態に窃取されている薄い膜を呼吸穴１２３００の前端部に形成することが望ましい。
【００８０】
図１５は、図１３および図１４による本発明の口腔挿入部材１２０００に対する分解断面を示したものである。
本発明による口腔挿入部材１２０００のボディー部１２１００と口腔吸着部１２２００とは、一体型に形成することが望ましい。
【００８１】
すなわち、喉の方に対応する面(１２１２０、１２２１２)と締結端子１０２００を含む面(１２１１０、１２２１１)にそれぞれシリコーン射出成形をした後、接合部１２４００を接合して完成する。
【００８２】
この際、ボディー部１２１００の一面側１２１１０に含まれて形成される締結端子１０２００には、流体吸入装置２２０００から連結する流体移送管４２０００と締結することが容易であるようにねじ線が形成されることが望ましく、ねじ線は、図１１に示したように締結端子１０２００の内部に雌ねじ形態に形成することもでき、締結端子１０２００の外部に雄ねじの形態に形成することもできる。
【００８３】
図１６は、本発明の口腔挿入部材１２０００の後面、すなわち、患者の口腔に挿入する時、喉に近い面を示したものであり、図１７は、口腔挿入部材１２０００の前面、すなわち、締結端子１０２００を含む面を示したものである。
【００８４】
図１６〜図１７を参照すると、口腔挿入部材１２０００の流体吸入ホール１２２２０は、口腔吸着部１２２００の一側面、すなわち、口腔挿入部材１２０００を患者の口腔に挿入する時、喉に近い口腔吸着部１２２００の面１２２１２にのみ含まれる。
【００８５】
図２０は、本発明の多様な実施例による口腔挿入部材(１００００、１１０００、１２０００)を患者１０００の口腔１１００に挿入する前、患者の口腔１１００を３Ｄでモデリングした斜視図であり、図２１は、患者１０００の口腔１１００に口腔挿入部材(１００００、１１０００、１２０００)を挿入した３Ｄモデリング斜視図である。
【００８６】
この際、本発明の多様な実施例による口腔挿入部材(１００００、１１０００、１２０００)を流体供給装置２１０００または流体吸入装置２２０００と流体移送管(４１０００、４２０００)を通じて連結して用いることもでき、流体供給装置２１０００または流体吸入装置２２０００と連結することなく、口腔挿入部材(１００００、１１０００、１２０００)を患者の口腔に挿入して用いることもできる。
【００８７】
流体供給装置２１０００または流体吸入装置２２０００と連結することなく、口腔挿入部材(１００００、１１０００、１２０００)を患者の口腔に挿入して用いる時には、口腔挿入部材(１００００、１１０００、１２０００)の挿入および除去を容易にするために、取っ手などを含むことができ、詳細な説明は、後の図２４を参照して説明する。
【００８８】
図２２は、本発明の一実施例による口腔治療用補助装置およびそれを含むユニットチェアーに対する斜視図である。
一般的に歯科治療用に用いるユニットチェアー５００００は、流体吸引器具（ｓｕｃｔｉｏｎ  ｉｎｓｔｒｕｍｅｎｔ)を含み、一般高圧と低圧を提供する２つの吸入装置を含む。
【００８９】
本発明による口腔治療用補助装置は、ユニットチェアー５００００に穴あけ工具（ｄｒｉｌｌｉｎｇ  ｔｏｏｌ）などの道具で構成されていることもあり、流体吸入装置に連結して用いる吸引機５１０００を除去し、流体移送管４２０００に本発明による口腔挿入部材(１００００、１１０００、１２０００)、より望ましくは、吸着機能を果たす口腔挿入部材１２０００を連結して用いることができる。
【００９０】
また、このような締結を容易にするために、コネクター３００００を更に含むこともできる。
コネクターを用いた締結方法については点線で示したブロックＶＩＩ領域をさらに詳細に示した図２３を参照して次のように説明する。
【００９１】
コネクター３００００は、２つの端子を含み、一つの端子３２０００は、ユニットチェアー５００００の流体吸入装置に連結される第２流体移送管４２０００が締結され、反対側の他の一つの端子３２１００には、本発明による口腔挿入部材(１００００、１１０００、１２０００)、より望ましくは、吸着機能を果たす口腔挿入部材１２０００に連結される第１流体移送管４２１００が締結される。
【００９２】
また、コネクター３００００は、ユニットチェアー５００００の流体吸入装置に連結される第２流体移送管４２０００が締結される端子３２０００と口腔挿入部材(１００００、１１０００、１２０００)に連結される第１流体移送管４２１００が締結される端子３２１００に追加的に除去された吸引機５１０００に連結される第３流体移送管４２２００が締結される端子３２２００を含んで構成されることも可能である。
【００９３】
この際、流体吸入装置で提供される負圧を調節するための調節レバー３１１００を含み、調節レバーによって口腔挿入部材１２０００に提供される負圧を調節することができる。
【００９４】
圧力（負圧）を調節するための手段としては、一般的に用いられる圧力制御バルブをコネクター３００００の内部に含んで用いることができる。
また、圧力を調節するための手段として、圧力制御バルブを機械式でない電気／電子式を用いる場合には電源の供給および電源のオン／オフ３１２００スイッチを更に含むこともできる。
【００９５】
図２４は、本発明のまた他の実施例による口腔治療用補助装置に対する斜視図を示したものであり、本発明による口腔挿入部材(１００００、１１０００、１２０００)に流体供給装置２１０００または流体吸入装置(２２０００)を連結して用いることなく、患者の口腔内に口腔挿入部材(１００００、１１０００、１２０００)を挿入して使用しうるようにするための実施例である。
【００９６】
口腔挿入部材(１００００、１１０００、１２０００)を患者の口腔内に挿入または口腔から除去するための取っ手部６００００を更に含む。
取っ手部６００００は、取っ手本体６１０００が口腔挿入部材(１００００、１１０００、１２０００)の一側面と結合され、取っ手本体６１０００の反対側には医療関係者が把持することが容易となるように凹凸部を含む把持部６２０００)を含んで構成される。
【００９７】
この際、患者の口腔から口腔挿入部材(１００００、１１０００、１２０００)の除去をより容易にするために取っ手本体６１０００の所定領域にフック６３０００を更に含むこともできる。
【００９８】
また、口腔挿入部材(１００００、１１０００、１２０００)と取っ手部６００００とを分離可能であるように構成し、口腔挿入部材を患者の口腔に挿入した後、取っ手部６００００を口腔挿入部材から分離することもできる。
【００９９】
また、口腔挿入部材(１００００、１１０００、１２０００)の取っ手部６００００が締結される反対面、すなわち、患者の口腔内に挿入された時、患者の喉の方に向かう一面に接着性物質を塗布して口腔挿入部材が患者の口腔内の皮膚に接着されるようにすることも可能である。
【０１００】
この際、口腔挿入部材は、上述した多様な実施例のうち、図１３〜図１９を参照して説明した口腔挿入部材において負圧を用いなくても良いため、連結通路１２５００、流体吸入ホール１２２２０などを排除して構成することができる。
【０１０１】
すなわち、ボディー部１２１００の外周縁(円弧)に形成される口腔吸着部１２２００を薄く翼型に形成して構成することによって、口腔挿入部材のボディー部１２１００と口腔吸着部１２２００とを一体型に射出して成形することもできる。
【０１０２】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範囲内において、各種の変更例または修正例に想到し得ることは明らかであり、これらについても、当然に本発明の技術的範囲に属するものと了解される。
【符号の説明】
【０１０３】
１００００、１１０００、１２０００    口腔挿入部材
１０１００、１０２００    締結端子
１１１００    膨張膜
１１２００    体積調節部
１１１１０    凸部
１１３００    体積固定部
１１３１０    第１流体貫通部
１１３２０    流体注入ホール
１１４００    口腔吸着部
１１４１０    第２流体貫通部
１１４２０    流体吸入ホール
１２１００    ボディー部
１２２００    口腔吸着部
１２２２０    流体吸入ホール
１２３００    呼吸穴
１２４００    接合部
２１０００    流体供給装置
２２０００    流体吸入装置
３００００    コネクター
４１０００、４２０００    流体移送管
５００００    ユニットチェアー
【図１】
2010537706.tif 000003
【図２】
2010537706.tif 000004
【図３】
2010537706.tif 000005
【図４】
2010537706.tif 000006
【図５】
2010537706.tif 000007
【図６】
2010537706.tif 000008
【図７】
2010537706.tif 000009
【図８】
2010537706.tif 000010
【図９】
2010537706.tif 000011
【図１０】
2010537706.tif 000012
【図１１】
2010537706.tif 000013
【図１２】
2010537706.tif 000014
【図１３】
2010537706.tif 000015
【図１４】
2010537706.tif 000016
【図１５】
2010537706.tif 000017
【図１６】
2010537706.tif 000018
【図１７】
2010537706.tif 000019
【図１８】
2010537706.tif 000020
【図１９】
2010537706.tif 000021
【図２０】
2010537706.tif 000022
【図２１】
2010537706.tif 000023
【図２２】
2010537706.tif 000024
【図２３】
2010537706.tif 000025
【図２４】
2010537706.tif 000026
【国際調査報告】
2010537706.tif 000027
2010537706.tif 000028